(57)【特許請求の範囲】
【請求項１】
ウォッシャ液を貯留するタンク本体の上部と下部との間を連通し且つその中途部を直立させてタンク本体内の液面と同じ液面を前記中途部で視認できるようにした液面確認ホースと、前記タンク本体内の上部のエアを大気へ開放するエア抜きホースとを備えたウォッシャタンクにおいて、前記タンク本体の下部から導いて中途部を立ち上げた液面確認ホースを前記タンク本体より高い位置で前記エア抜きホースと接続して該エア抜きホースを介しタンク本体の上部と連通するように構成したことを特徴とするウォッシャタンク。
【請求項２】
液面確認ホースの直立する中途部をホース外径よりも幅が広い拡幅部として形成したことを特徴とする請求項１に記載のウォッシャタンク。
【発明の詳細な説明】
【技術分野】
【０００１】
本発明は、ウォッシャタンクに関するものである。
【背景技術】
【０００２】
自動車のウォッシャタンクの形式は様々であるが、キャブオーバー型のトラック等においては、図３及び図４に示す如く、助手席側のドアを開けた時に現れるインストルメントパネル１の側面に注水口２を設定して該注水口２をキャップ３で塞ぎ、この注水口２まで延びるインレットパイプ４を介してタンク本体５にウォッシャ液６が補充されるようにしたものがある。
【０００３】
この際、所定の容積を持つタンク本体５は、その大きさに見合う配置スペースが必要となるため、周辺の機器類等とのレイアウト上の関係により、インストルメントパネル１から距離を隔てた奥まった位置に置かれるケースがあるが、このような場合には、タンク本体５内の液面をユーザーが目視により確認できるよう該タンク本体５の上部と下部との間を透明の液面確認ホース７により接続し、この液面確認ホース７の中途部を直立させてインストルメントパネル１の覗き窓８を経由させるように配索することが行われている。
【０００４】
また、タンク本体５の上部とインストルメントパネル１の適宜位置との間がエア抜きホース９により接続され、該エア抜きホース９を介してタンク本体５内の上部のエアが大気へ開放されるようになっており、ウォッシャ液６をタンク本体５に補充する際における該タンク本体５内のエアの逃げ道を確保して注水速度の向上を図り得るようにしてある。
【０００５】
尚、この種のウォッシャタンクに関連する先行技術文献情報としては下記の特許文献１等がある。
【先行技術文献】
【特許文献】
【０００６】
【特許文献１】実開昭６１−１６３７６８号公報
【発明の概要】
【発明が解決しようとする課題】
【０００７】
しかしながら、タンク本体５とインストルメントパネル１の覗き窓８との間に機器類が複雑に配置されているような場合には、タンク本体５の下部から覗き窓８を経由するように配索した液面確認ホース７を前記タンク本体５の上部に戻すことが難しい場合があり、周辺の機器類との間にレイアウト上の制約が生じることがあった。
【０００８】
また、タンク本体５の下部から導いて覗き窓８を経由させた液面確認ホース７をタンク本体５まで戻すのに配索長さが長く必要となる一方、タンク本体５への結合箇所にコストのかかる穴加工やシール性を考慮したグロメット及びジョイントが必要となるため、これらの要因がウォッシャタンクの設備コストの高騰を招いていた。
【０００９】
しかも、図４に示す従来構造では、タンク本体５の側面の上下部に液面確認ホース７を接続するようにしていたため、タンク本体５の側面の上部に対する液面確認ホース７の接続位置より高い液面を確認することができないという不都合もあった。
【００１０】
本発明は上述の実情に鑑みてなしたもので、周辺の機器類との間のレイアウト上の制約を緩和することができ、設備コストを安価に抑えることもでき、しかも、これまでより高い液面まで確認することができるウォッシャタンクを提供することを目的とする。
【課題を解決するための手段】
【００１１】
本発明は、ウォッシャ液を貯留するタンク本体の上部と下部との間を連通し且つその中途部を直立させてタンク本体内の液面と同じ液面を前記中途部で視認できるようにした液面確認ホースと、前記タンク本体内の上部のエアを大気へ開放するエア抜きホースとを備えたウォッシャタンクにおいて、前記タンク本体の下部から導いて中途部を立ち上げた液面確認ホースを前記タンク本体より高い位置で前記エア抜きホースと接続して該エア抜きホースを介しタンク本体の上部と連通するように構成したことを特徴とするものである。
【００１２】
而して、このようにすれば、タンク本体の下部から導いて中途部を立ち上げた液面確認ホースを前記タンク本体の上部に戻さずに、該タンク本体より高い位置まで延ばしてエア抜きホースと接続するようにしているので、前記タンク本体の上部と前記液面確認ホースの中途部との間で機器類が前記液面確認ホースと干渉する心配がなくなり、周辺の機器類との間のレイアウト上の制約が大幅に緩和されることになる。
【００１３】
また、タンク本体の下部から導いて中途部を立ち上げた液面確認ホースを前記タンク本体の上部に戻さなくて済むことにより、前記液面確認ホースを従来より短くすることが可能となり、しかも、コストのかかるタンク本体の上部への液面確認ホースの結合箇所が削減される一方、該液面確認ホースとエア抜きホースとの結合箇所は簡易な３ウェイジョイント等で安価に構成することが可能となるので、ウォッシャタンクの設備コストが安価に抑えられる。
【００１４】
更に、液面確認ホースがタンク本体より高い位置でエア抜きホースと接続されるようになっているので、タンク本体の側面の上部に対する液面確認ホースの接続位置により確認可能な液面のレベルが規制されなくなり、これまでより高い液面まで確認することが可能となる。
【００１５】
また、本発明においては、液面確認ホースの直立する中途部をホース外径よりも幅が広い拡幅部として形成することが好ましく、このようにすれば、ホース外径よりも幅が広い拡幅部で液面を確認することが可能となり、該液面が確認し易くなって視認性の大幅な向上が図られる。
【００１６】
例えば、着色されたウォッシャ液の替わりに水が入れられているような場合、一般的なエア抜きホースのホース外径は６ｍｍ程度であるために液面を確認しづらかったが、ホース外径よりも幅が広い拡幅部を形成しておけば、液面を容易に確認することができて便利である。
【発明の効果】
【００１７】
上記した本発明のウォッシャタンクによれば、下記の如き種々の優れた効果を奏し得る。
【００１８】
（Ｉ）本発明の請求項１に記載の発明によれば、タンク本体の下部から導いて中途部を立ち上げた液面確認ホースを前記タンク本体の上部に戻さずに、該タンク本体より高い位置まで延ばしてエア抜きホースと接続したことにより、前記タンク本体の上部と前記液面確認ホースの中途部との間で機器類が前記液面確認ホースと干渉する虞れをなくして、周辺の機器類との間のレイアウト上の制約を大幅に緩和することができ、また、前記液面確認ホースを従来より短くすることができる一方、コストのかかるタンク本体の上部への液面確認ホースの結合箇所を削減することができて、該液面確認ホースとエア抜きホースとの結合箇所も簡易な３ウェイジョイント等で安価に構成することができるので、ウォッシャタンクの設備コストを安価に抑えることができ、更には、タンク本体の側面の上部に対する液面確認ホースの接続位置により確認可能な液面のレベルが規制される不都合を解消し、これまでより高い液面まで確認することを実現できる。
【００１９】
（ＩＶ）本発明の請求項２に記載の発明によれば、ホース外径よりも幅が広い拡幅部で液面を確認することができるので、従来より液面の視認性を大幅に向上することができ、着色されたウォッシャ液の替わりに水が入れられているような場合であっても、確実に液面を確認して適切な量の補充を行うことができる。
【図面の簡単な説明】
【００２０】
【図１】本発明を実施する形態の一例を示す断面図である。
【図２】本発明の別の形態例を示す斜視図である。
【図３】ウォッシャ液の注水口の一例を示す斜視図である。
【図４】従来構造の一例を説明する断面図である。
【発明を実施するための形態】
【００２１】
以下本発明の実施の形態を図面を参照しつつ説明する。
【００２２】
図１は本発明を実施する形態の一例を示すもので、図３及び図４と同一の符号を付した部分は同一物を表わしている。
【００２３】
図１に示す如く、本形態例においては、先の図４で説明した従来構造の場合と同様に、ウォッシャ液６を貯留するタンク本体５の上部と下部との間を連通し且つその中途部をインストルメントパネル１の覗き窓８で直立させてタンク本体５内の液面と同じ液面を前記中途部で視認できるようにした液面確認ホース７と、前記タンク本体５内の上部のエアを大気へ開放するエア抜きホース９とを備えているが、前記液面確認ホース７をタンク本体５の上部に連通させるにあたり、該タンク本体５の下部から導いてインストルメントパネル１の覗き窓８を経由させた液面確認ホース７を、従来のようにタンク本体５の上部に直接接続することに替え、前記タンク本体５より高い位置まで延ばして３ウェイジョイント１０により前記エア抜きホース９と接続し、該エア抜きホース９を介して前記タンク本体５の上部と連通するように構成している。
【００２４】
而して、このように構成すれば、タンク本体５の下部から導いて中途部をインストルメントパネル１の覗き窓８で立ち上げた液面確認ホース７を前記タンク本体５の上部に戻さずに、該タンク本体５より高い位置まで延ばしてエア抜きホース９と接続するようにしているので、前記タンク本体５の上部と前記液面確認ホース７の中途部との間で機器類が前記液面確認ホース７と干渉する心配がなくなり、周辺の機器類との間のレイアウト上の制約が大幅に緩和されることになる。
【００２５】
また、タンク本体５の下部から導いて中途部を立ち上げた液面確認ホース７を前記タンク本体５の上部に戻さなくて済むことにより、前記液面確認ホース７を従来より短くすることが可能となり、しかも、コストのかかるタンク本体５の上部への液面確認ホース７の結合箇所が削減される一方、該液面確認ホース７とエア抜きホース９との結合箇所は簡易な３ウェイジョイント１０で安価に構成することが可能となるので、ウォッシャタンクの設備コストが安価に抑えられる。
【００２６】
更に、液面確認ホース７がタンク本体５より高い位置でエア抜きホース９と接続されるようになっているので、タンク本体５の側面の上部に対する液面確認ホース７の接続位置により確認可能な液面のレベルが規制されなくなり、これまでより高い液面まで確認することが可能となる。
【００２７】
従って、上記形態例によれば、タンク本体５の下部から導いて中途部を立ち上げた液面確認ホース７を前記タンク本体５の上部に戻さずに、該タンク本体５より高い位置まで延ばしてエア抜きホース９と接続するようにしたことにより、前記タンク本体５の上部と前記液面確認ホース７の中途部との間で機器類が前記液面確認ホース７と干渉する虞れをなくして、周辺の機器類との間のレイアウト上の制約を大幅に緩和することができる。
【００２８】
また、前記液面確認ホース７を従来より短くすることができる一方、コストのかかるタンク本体５の上部への液面確認ホース７の結合箇所を削減することができて、該液面確認ホース７とエア抜きホース９との結合箇所も簡易な３ウェイジョイント１０で安価に構成することができるので、ウォッシャタンクの設備コストを安価に抑えることができる。
【００２９】
更に、タンク本体５の側面の上部に対する液面確認ホース７の接続位置により確認可能な液面のレベルが規制される不都合を解消し、これまでより高い液面まで確認することを実現できる。
【００３０】
また、図２は本発明の別の形態例を示すもので、本形態例においては、液面確認ホース７の直立する中途部をホース外径Ｄよりも幅Ｗが広い拡幅部１１として形成した構成を採用しており、このようにした場合には、ホース外径Ｄよりも幅Ｗが広い拡幅部１１で液面を確認することができるので、従来より液面の視認性を大幅に向上することができ、着色されたウォッシャ液６の替わりに水が入れられているような場合であっても、確実に液面を確認して適切な量の補充を行うことができる。
【００３１】
尚、本発明のウォッシャタンクは、上述の形態例にのみ限定されるものではなく、本発明の要旨を逸脱しない範囲内において種々変更を加え得ることは勿論である。
【符号の説明】
【００３２】
５  タンク本体
６  ウォッシャ液
７  液面確認ホース
９  エア抜きホース
１１  拡幅部
Ｄ  ホース外径
Ｗ  幅
【図１】
0005684638.tif 000002
【図２】
0005684638.tif 000003
【図３】
0005684638.tif 000004
【図４】
0005684638.tif 000005